(57)【要約】【課題】  耐久性の低下を招くことを防止することができるコネクタを提供すること。【解決手段】  本発明によるコネクタ１は、一以上の第一接触子２を含む第一接続部３と、第一接触子２に対応する第二接触子４を含んで第一接続部３が接続される第二接続部５とを含み、第二接触子４は、第一接触子２に接触する接点４ａを含み、第一接続部３は、第二接続部５に指向する方向に突出する突部６ａを含み、第二接続部５は、突部６ａによる押圧に基づいて接点４ａを第一接触子２に対して接近する方向に付勢する付勢手段７を含む、ことを特徴とする。【選択図】  図１
2011028962.tif 000002
【特許請求の範囲】
【請求項１】
一以上の第一接触子を含む第一接続部と、前記第一接触子に対応する第二接触子を含んで前記第一接続部が接続される第二接続部とを含み、
前記第二接触子は、前記第一接触子に接触する接点を含み、
前記第一接続部は、前記第二接続部に指向する方向に突出する突部を含み、
前記第二接続部は、前記突部による押圧に基づいて前記接点を前記第一接触子に対して接近する方向に付勢する付勢手段を含む、
ことを特徴とするコネクタ。
【請求項２】
前記第二接触子は、一以上の折り曲げ部と、自由端と、固定端を有する弾性部材により構成されることを特徴とする請求項１に記載のコネクタ。
【請求項３】
前記付勢手段は、前記第一接続部を前記第二接続部に接続する接続工程において、前記突部により押圧される力点と、前記自由端を押圧して付勢する作用点を含む梃子により構成されることを特徴とする請求項２に記載のコネクタ。
【請求項４】
前記第一接触子と前記第二接触子を複数対含み、前記梃子を前記第二接触子に対応させて複数含み、前記突部を前記梃子に対応させて複数含むことを特徴とする請求項３に記載のコネクタ。
【請求項５】
前記付勢手段を押圧する前記突部の突出長さを、前記第一接触子と前記第二接触子の組合せ毎に個別の長さとすることを特徴とする請求項４に記載のコネクタ。
【請求項６】
前記梃子の梃子比すなわちレバー比を、前記第一接触子と前記第二接触子の組合せ毎に個別の比とすることを特徴とする請求項４に記載のコネクタ。
【請求項７】
所定の組合せの前記第一接触子と前記第二接触子に対応する、前記突部の長さを前記付勢手段の力点に接触しない長さとすることを特徴とする請求項４に記載のコネクタ。
【請求項８】
前記第一接触子と前記第二接触子を複数対含み、前記複数の前記第二接触子に対応させて一の前記梃子を含むことを特徴とする請求項３に記載のコネクタ。
【請求項９】
前記突部を前記第一接触子の一部を屈曲させて構成し、前記付勢手段の前記突部により押圧される部分を部分球面状の凸面により構成することを特徴とする請求項８に記載のコネクタ。
【発明の詳細な説明】
【技術分野】
【０００１】
本発明は、家庭用、業務用の電子機器相互間又は電気機器を構成する部分相互間の電気的接続に適用されて好適なコネクタに関する。
【背景技術】
【０００２】
電子装置相互間又は基板に電子装置を接続する、電子装置を構成する部分相互間あるいは基板相互間を、電源、信号線、接地線、シールド線等を含んで電気的に脱着かつ再接続可能に接続するコネクタとしては、例えば特許文献１に記載されたようなものがある。
【０００３】
特許文献１に記載のコネクタは、弾性端子を有する雄コネクタを、面接触端子を有する雌コネクタに対して、面接方向に挿入するにあたって、以下の手法で弾性端子と面接触端子をワイピングする機能を有している。
【０００４】
より具体的には、弾性端子を面接触端子に接近させながら、面接触端子のなす平面が延在する方向であって面接方向に垂直な方向である摺接方向に、面接触端子に対して弾性端子の接触用バネ片を摺動させて、表面の酸化被膜等の異物を除去して、電気的な接続の信頼性を高めている。
【先行技術文献】
【特許文献】
【０００５】
【特許文献１】特開平６−１１１８８３号公報
【発明の概要】
【発明が解決しようとする課題】
【０００６】
ところが、このようなコネクタにおいては、特許文献１の図３の符号８に示されるように、面接触端子に対して対向する弾性端子の接触用バネ片を、雄コネクタのハウジングかの外輪郭から突出させる形態を採用しているため、以下のような問題が生じる。
【０００７】
例えば、電子機器が操作部と表示部を含むものとし、操作部と表示部とを分離させかつ相互に脱着可能として、表示部を操作部に装着する際に、操作部と表示部との電気的な接続をコネクタにより行う構成とする。この構成においては、表示部を操作部から離脱させた状況において、弾性端子に意図しない外力が作用してしまうことを招き、弾性端子ひいてはコネクタの耐久性の低下を招く。
【０００８】
この問題は、電子機器の含む複数の部分相互間を脱着又は分割可能なものとし、部分相互間の電気的接続をコネクタにより行う場合おいても同様に生じる。
【０００９】
本発明は、上記問題に鑑み、耐久性の低下を招くことを防止することができるコネクタを提供することを目的とする。
【課題を解決するための手段】
【００１０】
上記の問題を解決するため、本発明に係るコネクタは、
一以上の第一接触子を含む第一接続部と、前記第一接触子に対応する第二接触子を含んで前記第一接続部が接続される第二接続部とを含み、
前記第二接触子は、前記第一接触子に接触する接点を含み、
前記第一接続部は、前記第二接続部に指向する方向に突出する突部を含み、
前記第二接続部は、前記突部による押圧に基づいて前記接点を前記第一接触子に対して接近する方向に付勢する付勢手段を含む、
ことを特徴とする。
【００１１】
前記コネクタによれば、前記第二接触子の前記接点を、前記第一接続部を前記第二接続部に接続しない状態、つまり、前記第二接続部に前記第一接続部が接続される接続工程が行われないで、前記突部による押圧が前記付勢手段に入力されない状態においては、前記第二接続部を構成する筐体の外輪郭をなす平面の外側に突出させないこととすることができる。なお、前提条件として前記接点に前記付勢手段から付勢力が働かない場合の、前記接点の初期位置を前記外輪角の内側に位置させることは必要である。
【００１２】
また、前記第一接続部を前記第二接続部に接続する前記接続工程において、前記突部による押圧に基づいて前記付勢手段が前記接点を前記第一接触子に対して接近する方向に付勢した場合においてのみ、前記第二接続部を構成する筐体の外側かつ前記第一接触子に向けて付勢されることとすることができる。
【００１３】
これによれば、前記接続工程以外においては、前記第二接触子の前記接点を前記第二接続部の筐体の外輪郭をなす平面の外に突出させないこととすることができるため、前記接続工程以外において前記接点に対する他の物体の接触を防止して、保護することができる。
【００１４】
なお、前記接続工程においては、前記付勢手段の付勢力に基づいて、前記接点は前記第一接触子に接近する方向に付勢されるが、前記接続工程の終了時においては、前記第一接触子の拘束力により前記接点は前記外輪郭をなす平面の位置に保持されることとなる。
【００１５】
より具体的には例えば、前記電子機器が携帯電話であって、表示部と操作部を分離可能として、前記コネクタにより電気的接続を行う場合において、以下のような有利な作用効果を得ることができる。
【００１６】
つまり、例えば前記携帯電話を分離した状態において表示部と操作部を衣服やバッグに収納した場合に、前記接点に衣服やバッグ内の他の物がユーザの意図によらずに接触する事態が発生して、前記接点ひいては前記第二接触子の意図しない変形や汚損を招いて、耐久性が低下してしまうことを防止することができる。これにより、前記コネクタ自身の耐久性や電気接続性をも高めることができる。なお、前記第一接続部を表示部と操作部のいずれかの一方に配置し、前記第二接続部を他方に配置するかは適宜選択可能である。
【００１７】
また、前記電子機器が含む電源が本体と分離可能であって、前記コネクタにより電気的接続を行う場合や、前記電子機器を充電器に設置して充電を行う場合においても、前記コネクタを適用することはできる。この場合においても、本体と電源を分離した状態、前記電子機器と充電器を分離した状態において、前記接点を保護することができる。
【００１８】
ここで前記コネクタにおいて、
前記第二接触子は、一以上の折り曲げ部と、自由端と、固定端を有する弾性部材により構成されることが好ましい。
【００１９】
これによれば、前記第二接触子が含む前記接点を、前記折り曲げ部により比較的容易に構成することができる。また、前記接点を構成する部分以外の折り曲げ部は、前記接点を前記第一接触子から離隔する方向に付勢する機能を有するので、前記突部による押圧が入力されない場合には、前記接点を速やかに前記筐体の外輪郭をなす平面の内側に収納することができる。加えて、前記第二接触子を一の前記弾性部材により一体的に構成することができる。
【００２０】
なお、前記付勢手段は、前記突部による押圧を、前記自由端の前記接近方向に付勢する力に変換できるものであればいずれの手段でもよい。例えば、前記突部の押圧によりロック解除がされて前記接近方向にバネ作用により突出して前記自由端を押圧するプッシュロック解除機構を用いてもよいし、より簡易な機構として、以下に述べるような梃子を用いてもよい。
【００２１】
すなわち、前記コネクタにおいて、
前記付勢手段は、前記第一接続部を前記第二接続部に接続する接続工程において、前記突部により押圧される力点と、前記自由端を押圧して付勢する作用点を含む梃子により構成されることが好ましい。
【００２２】
これによれば、前記付勢手段をバネや係合手段を有しない比較的容易な構成とすることができる。なお、前記梃子の支点は例えば、前記第二接続部が含む筐体内部の適宜の箇所に回動自在に支持される。
【００２３】
さらに、前記第二接触子を前記折り曲げ部を有する弾性部材により構成することとし、前記付勢手段を前記梃子により構成することとすれば、前記折り曲げ部は、前記梃子の作用点を、支点に平行な支点方向から視て内包する方向に折り曲げられた形態を有することとなる。
【００２４】
つまり、前記梃子の作用点により前記第二接触子の前記自由端が前記第一接触子に接近する方向に付勢された場合に、前記折り曲げ部は、折り曲げ角度が開く方向に変位するリンクを構成して、前記自由端及び前記接点をリンク作用により前記梃子の支点から作用点に向かう方向に、前記第二接触子の前記接点を変位させることができる。
【００２５】
これに基づいて、前記接続工程において、前記第二接触子の前記接点を前記第一接触子に対して、前記接近方向に一致する面接方向に垂直な摺接方向に摺動させることができ、これにより、前記第一接触子の表面および前記第二接触子の前記接点の表面をともにワイピングすることができる。このワイピングにより、前記表面の例えば錆、酸化被膜、フラックス、塵埃、水分等の異物を除去することができ、前記コネクタの電気的な接続をより確実なものとして、接触信頼性を高めることができる。
【００２６】
さらに、前記ワイピングを実現するにあたっての、前記接点の変位の量についても、前記突部と前記梃子の相互位置関係、前記梃子の梃子比により適宜調節可能であるため、設計自由度を高めることができる。
【発明の効果】
【００２７】
本発明によれば、第二接触子の耐久性の低下を招くことを防止することができ、ひいてはコネクタ全体の耐久性を高めることができる。
【図面の簡単な説明】
【００２８】
【図１】本発明に係るコネクタの一実施形態を示す模式斜視図である。
【図２】本発明に係るコネクタの一実施形態を示す模式斜視図である。
【図３】本発明に係るコネクタの一実施形態を示す模式断面図である。
【図４】本発明に係るコネクタの一実施形態を示す模式断面図である。
【図５】本発明に係るコネクタの一実施形態を示す模式斜視図である。
【図６】本発明に係るコネクタの一実施形態を示す模式斜視図である。
【図７】本発明に係るコネクタの一実施形態を示す模式断面図である。
【図８】本発明に係るコネクタの一実施形態を示す模式斜視図である。
【図９】本発明に係るコネクタの一実施形態を示す模式斜視図である。
【図１０】本発明に係るコネクタの一実施形態を示す模式断面図である。
【図１１】本発明に係るコネクタの一実施形態を示す模式斜視図である。
【発明を実施するための形態】
【００２９】
以下、本発明を実施するための形態について、添付図面を参照しながら説明する。
【実施例１】
【００３０】
図１及び図２は、本発明に係るコネクタ１の一実施形態を接近方向Ｔ、摺接方向Ｓ、支点方向Ｆに対して傾斜する方向から視て示す模式斜視図である。図２は、図１に示したコネクタ１を背面側から視た模式斜視図である。
【００３１】
図１に示すように、コネクタ１は、四つのコンタクト２を含むプラグ３と、コンタクト２に対応するコンタクト４を含むジャック５とを含む。ジャック５はプラグ３が接続可能に構成される。
【００３２】
コンタクト４は、コンタクト２に接触する接点４ａを含み、プラグ３は、四つのコンタクト２を支点方向Ｆに並列させた状態で合成樹脂がインサート成形されて構成された絶縁体６を含む。絶縁体６は四つのコンタクト４の固定端４ｅ側を固定する機能を有する。絶縁体６の摺接方向Ｓの反対側端部には、接近方向Ｔの反対側に向けて指向するボス６ａが構成される。ボス６ａは、ジャック５に指向する方向に突出する突部を構成する。
【００３３】
ジャック５は、突部６による押圧に基づいて接点４ａを第一接触子２に対して接近する方向に付勢するヒンジ７を含む。図２に示すように、ヒンジ７は、プラグ３をジャック５に接続する接続工程において、ボス６ａにより押圧される力点７ａと、コンタクト４の自由端４ｄを押圧して付勢する作用点７ｂを含む絶縁部材により形成された梃子により構成される。
【００３４】
ここでは、ヒンジ７は、四つの接点４ａ及び四つの自由端４ｄに対して一個設けられ、支点方向Ｆの長さは四つの並列されたコンタクト４の自由端４ｄ全体に接触可能な長さとしている。ヒンジ７の摺接方向Ｓの中間部分には、支点方向Ｆに突出する円柱状の支点７ｃが形成されており、絶縁体８に形成されたガイド８ａに回転自在に支持される。絶縁体８はペグ９と図示しないビスにより例えば携帯電話の操作部に固定される。
【００３５】
図３は、図１に示したコネクタ１を支点方向Ｆに垂直且つコンタクト２を含む断面において示す模式断面図である。図３に示すように、コンタクト４は、一以上の折り曲げ部４ａ、４ｂ、４ｃと、自由端４ｄと、固定端４ｅを有する。コンタクト４は、銅合金等の導電性を有しかつ弾性を有する一本の棒状の弾性部材を適宜プレス加工、折り曲げ加工等を施すことにより構成される。
【００３６】
以上述べた本実施例１のコネクタ１によれば、以下のような作用効果を得ることができる。以下コネクタ１の奏する作用効果について図４を用いて説明する。図４は本実施例１のコネクタ１の接続態様と作用効果を図３と同一の断面において、かつ、接続工程の初期と終了状態とにおいて示す模式断面図である。
【００３７】
図３に示すように、コンタクト４の接点４ａを、プラグ３をジャック５に接続しない状態においては、コンタクト４にプラグ３が接続される接続工程が行われず、ボス６ａによる押圧がヒンジ７の力点７ａに入力されない状態が選択される。この場合においては、ジャック５を構成する絶縁体８の外輪郭をなす平面８ｂの外側つまり接近方向Ｔ側に突出させないこととすることができる。
【００３８】
これとは逆に、図４（ａ）に示すように、プラグ３をジャック５に接続する接続工程が開始された初期状態において、ボス６ａによる力点７ａへの押圧に基づいて、ヒンジ７が接点４ａをコンタクト２に対して接近する方向に付勢されると、ヒンジ７が支点７ｃつまり支点を中心として支点方向Ｆ周りかつ反時計回りに回転し、さらに接続工程が進行して押圧のストロークが増大すると図４（ｂ）に示す状態に移行する。このように、ボス６ａによる力点７ａへの押圧が作用している場合にのみ、ジャック５を構成する絶縁体８の外輪郭をなす平面８ｂの外側かつコンタクト２に向けて付勢されることとすることができる。
【００３９】
以上のように、接続工程以外においては、コンタクト４の接点４ａをジャック５の絶縁体８の外輪郭をなす平面８ｂの外に突出させないこととすることができるため、接続工程以外において接点４ａに対する衣服や人の手を含む他の物体が意図せずに接触してしまうことを防止して、接点４ａを保護することができる。
【００４０】
より具体的には例えば、コネクタ１が適用される電子機器が携帯電話であって、ＴＦＴ液晶や有機ＥＬディスプレイ等を含む表示部と、キーを含む操作部を分離可能として、コネクタ１により電気的接続を行う場合において、以下のような有利な作用効果を得ることができる。
【００４１】
つまり、例えば携帯電話において表示部を操作部から分離した状態において、表示部と操作部を衣服やバッグに収納した場合に、コネクタ１のジャック５の具備する接点４ａに衣服やバッグ内の他の物がユーザの意図によらずに接触する事態が発生することを、接点４ａを外輪郭から外に突出させないことにより防止することができる。
【００４２】
これにより、接触により発生する外力が接点４ａに作用することにより、接点４ａひいてはコンタクト４の意図しない変形や汚損を招いて、耐久性が低下してしまうことを防止することができる。加えて、コンタクト４へ外力が作用することを防止することにより、コンタクト４から絶縁体８に伝達される外力を遮断することができ、コネクタ１自身の耐久性や電気接続性をも高めることができる。
【００４３】
さらに、コンタクト４へのユーザの手や衣服の接触を防止することにより、静電気がコンタクト４に印加されることも防止することができ、これによりコネクタ１ひいてはコネクタ１が適用される電子機器の耐久性、信頼性をも高めることができる。
【００４４】
また、電子機器が含むバッテリ等の電源が本体と分離可能であって、コネクタ１により電気的接続を行っている場合や、電子機器を充電器に設置して充電を行う場合においても、本実施例１に示したようなコネクタ１を適用することはできる。この場合においても、本体と電源を分離した状態、電子機器と充電器を分離した状態において、コネクタ１が含むジャック５の接点４ａ及びコンタクト４を保護することができる。
【００４５】
加えて、本実施例１のコネクタ１においては、コンタクト４は、一以上の折り曲げ部と、自由端４ｄと、固定端４ｅとを有する弾性部材により構成されているので、接点４ａを、折り曲げ部により比較的容易に構成することができる。また、折り曲げ部４ｂ、４ｃは、ヒンジ７の作用点７ｂにより自由端４ｄが接近方向Ｔに付勢された場合に、接点４ａをコンタクト２から離隔する方向に付勢する機能を有する。このためボス６ａによる押圧がヒンジ７の力点７ａに入力されない場合には、接点４ａを速やかに絶縁体８の外輪郭をなす平面８ｂの内側に収納することができる。さらに、コンタクト４を一の弾性部材により折り曲げ加工により比較的容易に一体的に構成することができる。
【００４６】
また、本実施例１のコネクタ１においては、付勢手段としてのヒンジ７を梃子により構成しているので、付勢手段をバネや係合手段を有しない単一の絶縁部材により構成することができ、比較的容易な構成とすることができる。
【００４７】
さらに、コンタクト４を折り曲げ部４ｂ、４ｃを有する弾性部材により構成することとし、付勢手段をヒンジ７により構成することとすれば、図３に示すように、折り曲げ部４ｂ、４ｃは、ヒンジ７の作用点７ｂを、支点７ｃに平行な支点方向Ｆから視て内包する方向に折り曲げられた形態を有することとなる。
【００４８】
つまり、ヒンジ７の作用点７ｂによりコンタクト４の自由端４ｄがコンタクト２に接近する方向に付勢された場合に、折り曲げ部４ｂ、４ｃは、折り曲げ角度が開く方向に変位するリンクを構成する。すなわち、コンタクト４の自由端４ｄ及び接点４ａをリンク作用により、ヒンジ７の支点７ｃから作用点７ｂに向かう方向に、つまり、図４中の平面８ｂ内において左から右に向かう方向に、コンタクト４の接点４ａを変位させることができる。
【００４９】
この接点４ａの図４中右方への変位に基づいて、接続工程において、コンタクト４の接点４ａをコンタクト２に対して、接近方向Ｔに一致する面接方向に垂直な摺接方向Ｓに摺動させることができる。この摺動により、コンタクト２の表面およびコンタクト４の接点４ａの表面をともにワイピングすることができる。このワイピングにより、表面の例えば錆、酸化被膜、フラックス、塵埃、水分等の異物を除去することができ、コネクタ１の電気的な接続をより確実なものとして、接触信頼性を高めることができる。
【００５０】
加えて、表面のワイピングを実現するにあたっての、接点４ａの変位の量についても、ボス６ａの絶縁体６からの突出量、ボス６ａとヒンジ７の支点７ｃの相互位置関係、ヒンジ７の梃子比により適宜調節可能とすることができるため、設計自由度及び設計変更自由度を高めることができる。
【００５１】
また、四つのコンタクト４に対して、支点方向Ｆにおける長さの長い一のヒンジ７により、コンタクト２に接近する方向の力を付勢しているので、可動部品の部品点数を削減して、より安価にコネクタ１を構成することができる。
【００５２】
さらに、特許文献１に示した従来のコネクタにおいては、面接触端子に対して弾性端子を摺接方向に摺動させるにあたって、雌コネクタに対して雄コネクタのハウジング全体を、カム溝の傾斜溝の係合ピンに対する案内作用に基づいて移動させるため、雌コネクタ側のハウジングにおいて、雄コネクタのハウジングの摺接方向の移動を吸収する構造が必要となり、構造の複雑化と外形寸法の増大を招き、コストアップを招くという問題があった。
【００５３】
これに対して、本実施例１のコネクタ１においては、摺接動作すなわちワイピングを実行するにあたって、ハウジングに該当するプラグ３又はジャック５全体を摺接方向Ｓに移動させる必要がないため、プラグ３及びジャック５の摺接方向Ｓにおける相互移動を吸収する構造は不要となり、構造の複雑化と外形寸法の増大を防止することができ、コストアップを防止することができる。
【００５４】
加えて、従来のコネクタにおいては、雄コネクタのハウジングを雌コネクタのハウジングに対して、接近方向Ｔに挿入しつつ、摺接方向Ｓに移動させるにあたって、カム溝を雄コネクタのハウジングに設け、係合ピンを雌コネクタのハウジングに設ける必要があり、特にはカム溝を設ける部分における強度を確保するにあたって、雄コネクタのハウジングの厚肉化を図る必要が生じて、これもコストアップを招くという問題があった。
【００５５】
これに対しても、本実施例１のコネクタ１においては、摺接動作を実行するにあたって、絶縁体６及び絶縁体８にカム溝を設ける必要がないため、絶縁体６及び絶縁体８の強度低下を招くことを防止して、耐久性を向上することができる。また、本実施例１のコネクタ１においては、強度低下を考慮して絶縁体６及び絶縁体８の厚肉化を図ることを防止することができ、コストアップを招くことを防止することができる。
【００５６】
なお、上述した本実施例１のコネクタ１においては、構造と機能の説明の便宜上、ヒンジ７の力点７ａと作用点７ｂとの摺接方向Ｓにおける中間部分及び支点７ｃを露出する形態としているが、美観を高めること、ヒンジ７の保持性能を高めること、可動部分の露出を回避して耐久性を高めることを目的として、カバーを設けることもできる。図５及び図６は、図１に示したコネクタ１のジャック５にカバーを付加した形態を示す模式斜視図である。
【００５７】
図５に示すジャック５においては、ヒンジ７の力点７ａと作用点７ｂ以外の摺接方向Ｓにおける中間部分を覆うカバー１０を設けている。カバー１０の摺接方向Ｓの反対側端部には、接近方向Ｔに貫通し、支点方向Ｆに延びる切り欠き部１０ａが設けられており、ヒンジ７の力点７ａの摺接方向Ｓの反対側端部の接近方向Ｔ側には、カバー１０の厚みと同じ突出量を有する突出部７ａａが設けられている。図６に示すように、絶縁体８の四隅には、カバー１０の四隅を支持する隅部８ｃが設けられる。
【００５８】
なお、ボス６ａによるヒンジ７の力点７ａへの押圧の方向は、接近方向Ｔの他、接近方向Ｔに垂直な方向でもよい。後者においては、突部を、コンタクト２の一部を屈曲させて構成し、付勢手段つまりヒンジ７の突部により押圧される部分である力点７ａを部分球面状の凸面により構成することが、押圧の力を有効に突部から付勢手段に伝達するにあたり有効である。以下それについての実施例２について述べる。
【実施例２】
【００５９】
図７〜９は、本発明に係るコネクタの他の実施形態を示す模式斜視図である。図１０は、図９に示したコネクタの模式断面図である。ボス以外の構成については実施例１に示したものと同様であるため、同一の構成要素については同一の符号を付して、重複する説明は割愛する。
【００６０】
図７に示すように、コンタクト２の、ヒンジ７の力点７ａの接近方向Ｔ側に位置する部分を、接近方向Ｔと逆方向に突出するようにＵ字状に屈曲させて、屈曲部２ａを構成して、屈曲部２ａを含むコンタクト２を四本、支点方向Ｆに並列した状態で、インサート成形を行って絶縁体６を形成する。
【００６１】
これに伴い、ヒンジ７についても、図８に示すように、力点７ａを構成する面上の屈曲部２ａに対向する支点方向Ｆに等間隔に位置する四箇所の位置に、部分球面状の凸面部７ａｂを設ける。
【００６２】
このように構成されたヒンジ７を絶縁体８に設置した後、図９に示すように、実施例１の図５に示したものと同様に、カバー１０が設けられて、カバー１０の切り欠き部１０ａから、凸面部７ａｂは突出される。なお、図９中支点方向Ｆに垂直かつ、凸面部７ａｂを含む平面におけるコネクタ１の断面形状は、図１０に示す形態をなす。
【００６３】
このように構成されたコネクタ１においては、例えば携帯電話の表示部と操作部が、表示部のなす平面と操作部のなす平面に平行な平面方向に垂直な方向に、図示しない別個の嵌合構造により嵌合される実施例１に示した形態ではなく、平面方向に平行な方向にスライドさせて嵌合される、又は平面内で回転されて嵌合される嵌合構造を有する形態である場合に、以下のような有利な作用効果を得ることができる。
【００６４】
つまり、突部を構成する屈曲部２ａが、凸面部７ａｂに対して支点方向Ｆ又はその反対方向に接近することとなるため、屈曲部２ａと凸面部７ａｂの接触面は、支点方向Ｆに対して傾斜する傾斜面となり、この傾斜面により、支点方向Ｆの力が、接近方向Ｔの反対方向に向かう押圧力に変換されて、この押圧力が凸面部７ａｂ及び力点７ａに入力され、作用点７ｂにおいては、接近方向Ｔへ向かう力が、コンタクト４の自由端４ｄに伝達される。
【００６５】
これにより、携帯電話の表示部と操作部が、平面方向に平行な方向にスライドされて嵌合される、又は平面内で回転されて嵌合される形態である場合においても、ヒンジ７による接点４ａのコンタクト２に対する接近変位及び摺動変位と、接点４ａのコンタクト４の折り曲げ部４ｂ、４ｃによる離隔変位とをより円滑に実行することができる。
【００６６】
上述した実施例１及び実施例２においては、四つのコンタクト４に対して一のヒンジ７を設けて、主に部品点数の削減に有利な構成としたが、コンタクト４の個々に対応させて、ヒンジ７を設けることもできる。以下にそれについての実施例３について述べる。
【実施例３】
【００６７】
図１１は、本発明に係るコネクタの他の実施形態を示す模式斜視図である。ヒンジ７をコンタクト４の個々に対応させて設けた点以外の構成については実施例１に示したものと同様であるため、同一の構成要素については同一の符号を付して、重複する説明は割愛する。
【００６８】
図１１に示すように、本実施例３のコネクタ１は、ヒンジ７を四つのコンタクト２に対応させて、実施例１に示したヒンジ７よりも支点方向Ｆの長さを短いものとし、ほぼコンタクト２の支点方向Ｆの長さに一致するものとして、支点方向に四つ並列させて配置している。つまりコネクタ１は、コンタクト２とコンタクト４を複数対含み、ヒンジ７を構成する梃子を四つのコンタクト４に対応させて四つ含み、ボス６ａを四つのヒンジ７に対応させて独立させて四つ含むことしている。
【００６９】
これによれば、以下に述べるような簡易な変更に基づいて付加的な機能をコネクタ１に具備させることができる。まず、詳細な図示は省略するがコネクタ１において、ヒンジ７を押圧するボス６ａの接近方向Ｔの突出長さを、コンタクト２とコンタクト４の組合せ毎に個別の長さとする。
【００７０】
これによれば、プラグ３をジャック５に接続するにあたって、コンタクト２とコンタクト４との接触のタイミングを、それぞれの組合せの相互間において、それぞれ別個のものとすることができる。
【００７１】
このことは、コネクタ１において、梃子を構成するレバー７の梃子比すなわちレバー比を、コンタクト２とコンタクト４の組合せ毎に個別の比とすることにより置換可能である。
【００７２】
これによっても、プラグ３をジャック５に接続するにあたって、コンタクト２とコンタクト４との接触のタイミングを、それぞれの組合せの相互間において、それぞれ別個のものとすることができる。
【００７３】
上述したように、複数対のコンタクト２とコンタクト４との接触のタイミングを、複数対の組合せの任意の二つの間で相互に別個なものとすることにより、例えば、携帯電話での操作部と表示部を分離可能に構成した場合に、操作部に表示部を装着するにあたって、ユーザ固有の情報又は販売店毎の固有の情報をタイミングの組合せによる信号により設定して、接続工程において信号を前記電子機器に対して入力することができる。
【００７４】
なお、コネクタ１において、所定の組合せのコンタクト２とコンタクト４に対応する、ボス６ａの長さをヒンジ７の力点７ａに接触しない長さとすることもできる。これにより、所定の組合せのコンタクト２とコンタクト４とを接続工程において接触させないこととすることができる。
【００７５】
すなわち、例えば携帯電話の表示部と操作部とを接続するコネクタ１の有する、コンタクト２とコンタクト４の複数対の組合せのうち、所定の組合せについてはある機種又はあるグレードでは接触させないことが必要である、又は所定の組合せそのものが不要である場合に、該当するボス６ａの長さをヒンジ７の力点７ａに接触しない長さとすることのみで対応することができる。これにより、コネクタ１を、ある機種又はあるグレードとそれ以外の異なる機種又はグレード間において共通して用いることができ、コネクタ１の汎用性を高めることができる。
【００７６】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００７７】
本発明は、耐久性の低下を招くことを防止することができるコネクタに関するものであり、比較的軽微な変更により、所望の効果を得ることができるので、家庭用、オフィス用、産業上の電子機器に適用して有益なものである。
【符号の説明】
【００７８】
１      コネクタ
２      コンタクト（第一接触子）
２ａ    屈曲部（突部）
３      プラグ（第一接続部）
４      コンタクト（第二接触子）
４ａ    接点（折り曲げ部）
４ｂ    折り曲げ部
４ｃ    折り曲げ部
４ｄ    自由端
４ｅ    固定端
５      ジャック（第二接続部）
６      絶縁体（筐体）
６ａ    ボス（突部）
７      ヒンジ（付勢手段）
７ａ    力点
７ａａ  突出部
７ａｂ  凸面部
７ｂ    作用点
７ｃ    支点
８      絶縁体（筐体）
８ａ    ガイド（支点受け部）
８ｂ    平面
８ｃ    隅部
９      ペグ
１０      カバー
１０ａ    切り欠き部
【図１】
2011028962.tif 000003
【図２】
2011028962.tif 000004
【図３】
2011028962.tif 000005
【図４】
2011028962.tif 000006
【図５】
2011028962.tif 000007
【図６】
2011028962.tif 000008
【図７】
2011028962.tif 000009
【図８】
2011028962.tif 000010
【図９】
2011028962.tif 000011
【図１０】
2011028962.tif 000012
【図１１】
2011028962.tif 000013